(57)【要約】  赤ちゃん担体（１，２，５２）および可撓性前片（３）を含み、可撓性前片が側方に離隔した上部で取外し可能カップリング（３１）により前記赤ちゃん担体に連結され、前記前片（３）が付帯連結部材（４０）により前記赤ちゃん担体の隣接部に連結された下中央部を有し、それにより前記前片（３）が子供担持ポケットを形成し、前記前片（３）が上方で側方に離隔した取付具のレベルの上方に延在する上境界部を有しかつ各側に側方突出端部を有し、各突出端部が端で第一カップリング部を担持し、第一カップリング部が他の付帯カップリング部と取外し可能に共働し、第二カップリング部が側方離隔位置に前記赤ちゃん担体によって担持される子供運搬装置。第一および第二カップリング取付具は相互に対して共働し、かつ第一および第二カップリング取付具の連結状態において、複数の選択的相互回転位置の一つに第一カップリング取付具（５１）を回転可能に固定する成形部（８５，７２）を有する。
2010505509.tif 000002
【特許請求の範囲】
【請求項１】
赤ちゃん担体（１，２，５２）および可撓性前片（３）を含み、可撓性前片が側方に離隔した上部で取外し可能カップリング（３１）により前記赤ちゃん担体に連結され、前記前片（３）が付帯連結部材（４０）により前記赤ちゃん担体の隣接部に連結された下中央部を有し、それにより前記前片（３）が子供担持ポケットを形成し、前記前片（３）が上方で側方に離隔した取付具のレベルの上方に延在する上境界部を有しかつ各側に側方突出端部を有し、各突出端部が端で第一カップリング部を担持し、第一カップリング部が他の付帯カップリング部と取外し可能に共働し、第二カップリング部が側方離隔位置に前記赤ちゃん担体によって担持される子供運搬装置において、
第一および第二カップリング取付具は相互に対して共働し、かつ第一および第二カップリング取付具の連結状態において、複数の選択的相互回転位置の一つに第一カップリング取付具（５１）を回転可能に固定する成形部（８５，７２）を有することを特徴とする、子供運搬装置。
【請求項２】
前記前片（３）の上境界部の突出端部は、第一カップリング取付具に実質的固定的に連結される少なくとも長手部（３８）で可撓性でありかつ弾性であり、第二カップリング取付具（５４）上での第一カップリング取付具（５１）の回転方向へ運ばれ、かつ子供の顔のいずれかの側に対して支持を形成する曲折領域（３７）を形成することを特徴とする、請求項１の子供運搬装置。
【請求項３】
第二カップリング取付具（５４）は、第一カップリング取付具の係止ラグ（６１）のためのウエスト切欠き（５７）を有するポストの形態であり、第一カップリング取付具はリング形であり前記ポストに適合し、前記係止ラグ（６１）は移動位置に対してバネ荷重されて前記ウエスト切欠きと係合し、かつ操作により前記ウエスト切欠きとの係合から前記係止ラグを後退させる外押圧ボタンに連結されていることを特徴とする、請求項１または２の子供運搬装置。
【請求項４】
前記ポストが突出する足プレート上に第二カップリング取付具（５４）は、第二カップリング取付具（５４）と軸方向に係合する第一カップリング取付具（５１）上の複数の成形部（７１）の一つと係合する少なくとも一つの成形部（８５）を有することを特徴とする、請求項１から３のいずれか一の子供運搬装置。
【請求項５】
前記赤ちゃん担体は、第二カップリング取付具（５１）を取り付け剛性シート（２）を含むことを特徴とする、請求項１から４のいずれか一の子供運搬装置。
【請求項６】
前記剛性シートは前記赤ちゃん担体に含まれるウエストベルト（１）に担持され、かつ第二カップリング取付具（５４）は前記剛性シート（２）の上境界部の領域に担持されていることを特徴とする、請求項５の子供運搬装置。
【発明の詳細な説明】
【技術分野】
【０００１】
本発明は、請求項１の導入部に記載の種類の子供運搬装置に関する。
【０００２】
そこで、本発明は、使用者の上体部上に着用できかつ赤ちゃんを収容できる子供担持ポケットを有する赤ちゃん担体（carrier)を含み、前記担持ポケットが前記赤ちゃん担体に側方に離隔した上部で連結されかつそのような担持構造体に連結される下中央部を有する可撓性前片で形成されている、子供運搬装置に関する。前記前片は、上方で側方に離隔した連結位置のレベルの上方に延在する上境界部を有する。上境界部は側方に突出する端部を有し、赤ちゃんの頭を指示するために、赤ちゃん担体の付帯取付部に連結できる取付具を端部に有する。
【背景技術】
【０００３】
この種の子供運搬装置は、例えば、ＷＯ０３／００３８８０から既知である。この種の赤ちゃん担体は、着用者の胸側上で、例えばシート(sheet)の形態の剛性要素を含み、かかるシートは上前片部の側方端の取付具を連結するための二つの取付具を担持する。
【先行技術文献】
【特許文献】
【０００４】
【特許文献１】ＷＯ０３／００３８８０
【発明の概要】
【発明が解決しようとする課題】
【０００５】
本発明の課題は、剛性胸シートもしくはプレートの有無と関係なく、そのような赤ちゃん担体において、前片の上境界部のヘッドレストを形成し、かかるヘッドレストが容易に調整でき、かつ子供が担持ポケットに座り子供の胸が着用者の胸側に対面するときに、子供の口および鼻のいずれかの側上で子供の頭の前側に対して離隔支持領域を形成する、ような手段を提供することにある。
【０００６】
更に、本発明の課題は、概ね起立配向で子供の頭を効率的かつ快適に支持することにある。更に、本発明の課題は、前片の上境界部によって囲まれる頭支持領域のかま内周の簡単かつ快適調整を可能にすることである。
【０００７】
かかる課題は、本発明により全体的または部分的に達成される。
【課題を解決するための手段】
【０００８】
本発明は特許請求の範囲に記載の独立請求項１に記載されている。
【０００９】
本発明の実施形態は、従属請求項に記載されている。
【００１０】
続く説明において、本発明は特別設計の赤ちゃん担体もしくは赤ちゃん運搬装置を参照して例示として解説される。ただし、本発明は、赤ちゃん担体の前側の側方に離隔した取付部であって前片の側方突出端部に取り付けられた対応する付帯取付部が連結される取付部間に、剛性側方カップリングが存在するか否かと関係なく、赤ちゃん担体の他の形態に適用できることが理解されるべきである。
【００１１】
以下に、本発明を添付図面を参照して例示として説明する。
【図面の簡単な説明】
【００１２】
【図１】子供運搬装置を着用する着用者の前面図を示す。
【図２】子供運搬装置を着用者の背後から示す図である。
【図３】子供運搬装置の側面図を示す。
【図４】図３の矢印ＩＶの方向に見た部分的斜視図を示す。
【図５】図３のＶ−Ｖ線に沿った部分的図面を示す。
【図６】図５のＶＩ−ＶＩ線に沿った概略断面図を示す。
【図７】図６のＶＩＩ−ＶＩＩ線に沿った概略図を示す。
【図８】図６のＶＩＩＩ−ＶＩＩＩ線に沿った概略図を示す。
【図９】安定紐のスライド取付具の拡大図を示す。
【図１０】図９のＸ−Ｘ線に沿った概略断面図を示す。
【図１１】図９のＸＩ−ＸＩ線に沿った概略断面図を示す。
【発明を実施するための形態】
【００１３】
図１および２は、着用者の上体部上に着用された子供運搬装置を示す。子供運搬装置は、ウエストベルト１を有し、ウエストベルト１は、着用者の背側上に位置する状態で示されウエストベルトから上方に延びた剛性プレートもしくはシート２を担持する。前片３は、プレート２の上方部でプレート２のそれぞれの側縁領域に位置する側縁部を有し、かつ連結部材３１によりプレートに着脱自在に連結される。前片３は、プレート２に対して回転しかつ連結部材４０により横切る方向の中央位置でプレート２に取り付けた下中央バンド形部を有し、下中央バンド形部は、折り畳まれた前片３の底を上昇下降させるために、好適にはプレート２上で垂直方向に離隔した複数の選択的ファスナを有する。前片３の側縁は、前片３により形成される担持ポケットに座る子供の脚用開口を形成するために、連結装置３１下の領域においてプレート２の側縁から離隔している。前片３は取付具３１のレベルの上方領域に上境界部３５を有し、上境界部３５は複数の側方突出端部を有し、各突出端部は、端に、プレート２の上境界部にあるカップリング取付具５４に取外し可能に連結される第一カップリング取付具５１を有する。
【００１４】
カップリング取付具５１，５４が相互に対して連結されるときに、前片３の上境界部３５は子供のヘッドレストを形成する。上境界部３５の側縁は、子供の腕用の孔を形成するために取付具３１，５４間の領域に凹として示されている。取付部５１が分離されるときに、前片３の上境界部３５は、取付具３１のレベル上にある折畳み線を中心に前片３の下部に対して下へ折り畳まれる。図１および２から理解されるように、ガイドレール５０が、プレート２の各上コーナー縁領域に沿って延在する。更に、肩紐５２は、図２において、左ガイドレール５３により担持された一端５３を有し、一端５３は外力の衝撃下でガイドレールに沿ってスライドするように構成される。肩紐５２は、一端５３から、着用者の背側上方に延び左肩上を超えて斜め下方へ延び、胸側上から右腕下で右側から背側へ回り、そこで肩紐５２の他端５４により図２の右スライドレール５０にスライド可能に連結される。
【００１５】
図１において，安定紐６０は、一端により胸側の略中間で肩紐に連結されている。安定紐６０は、そこから下方斜め方向に延び、着用者の左側を回って、図２に示された左スライドレール５０に他端６２により連結される。安定紐の他端６２はスライドレール５０に沿って移動可能である。安定紐６０は、取付具６５の使用により伸縮可能であり、それにより肩紐５２は着用者の胸側に概ね平行に下方へ移動可能であり、かつ肩紐５２は特に肩領域で着用者の首から離れる方向へ運ばれる。
【００１６】
図１および２の状態を基にして、着用者は、肩紐５２から安定紐６０を分離しかつウエストベルト１の取付具１０を開放し、ウエストベルト１が着用者のウエスト領域に当接しないようにし、かつ着用者のウエストの周辺を回転するようにできる。これに関連して、図１において肩紐５２は長手方向上方へ走らせ、そのようにして前片３および前片３により形成される担持ポケットを含むプレートもしくはシート２を、着用者の右腕の下方から着用者の胸側の中間の常に所定位置まで、上体部の周りで回動させる。この全回転操作時に担持ポケットは肩紐５２上に安定保持されている。
【００１７】
担持ポケット４の新規設置において、着用者は、子供からの負荷をプレート２およびウエストベルト１を介してヒップで担持するようにして、バックル１０を付勢する。子供運搬装置は、当然ながら、反対の対角線方向に肩紐５２を装備してよい。
【００１８】
図４において、理解されるように、境界部３５の側端部３６は細長くかつ両端にリング形カップリング取付具５１を有し、側端部３６は、ポスト５５として形成された取付具の一部５４上に受けられる。取付具の一部５４は、直径方向外方に対峙する二つのキー(keys)を有し、キーは押圧によりロックウエッジ(lock wedge)６１の後退を可能にする。ロックウエッジ６１は、ポスト５５内のウエスト切欠き５７に係合する。ロックウエッジ６１は、二つのキーの押圧によって示された位置から後退する。係止位置において、取付具５１は、ポスト５５の底部５４を中心とする付帯面８１に当接する（図８）リング形面７１（図７）を有する。リング形面７１はポストの周りに離隔形成された複数の半径方向の溝７２を有する。ポストの周りの付帯面８１は、溝７２に受けることのできる一つまたはそれ以上の半径方向隆起を有する。溝７２は、付帯面８１上の隆起８５を取付具５１の複数の異なる回転位置に受けることができかつ複数の異なる回転位置で取付具５１を回転可能に固定する。端部３６は、一定の弾性を有しかつ取付具５１に固定的に連結される。端部３６は前片３の厚みよりも幅広く、かつ図４において細長い端部３６は、取付具５１から一定間隔をおいた曲折領域３７に相互に対して平面的に折り曲げて示されている。好適には、この一定間隔は、端部３６の曲げ剛性および弾性の適宜選択により、１０ｃｍ未満程度である。
【００１９】
このように、それぞれの取付具５１に最も近い端部３８は取付具５１の回転軸を中心に垂直面において枢軸回転し、端部３６の曲折領域３７は、取付具５１を中心とする対応する円弧に沿って移動する。次に、曲折領域３７，３７は、プレート２に平行の平面内で移動し、かつ担持ポケット４内に着座している子供の、例えば頬骨領域のための支持クッションを形成することができる。このように、上境界部３５の水平長を精確に選択することにより、ヘッドレストとして上境界部３５を調節可能であり、起立位置の子供の頭を支持でき、かつ取付具５１間に子供の鼻、曲折部３７に当接する子供の頬骨領域を、図５に示されたように支持できる。
【００２０】
図９および１０において、理解されるように、下境界上の肩紐５２は、Ｌ字形連結要素９１を介して安定紐６０の端６１に連結されたスライド取付具８４内のアンダーカットチャンネル８２で構成される縁バルジ８１を有し、Ｌ字形連結要素９１は取付具８４内の付帯凹部９２内に取外し可能に受けられる。
【００２１】
図１１から理解されるように、取付具８４は、軸着されたレバー部８６を含み、レバー部８６の一方のアーム８７は溝８２の可動部を形成し、かつ他方のアーム８８は連結要素９１の足３３により支持される。アーム８８は足３３と接触する斜めウエッジ面を有し、足３３は取付具８４内のプラスチックスライド面上に当接する。図９から理解されるように、開口９２は取付具８４の上側に口を有し、かつ細長いスロット９５の形態であり、スロット９５は取付具の上縁部８９へ向けてレバー８６の軸を接近させる。安定紐６０の張力がバルジ８１に沿って上方へ取付具８４を引っ張ることを目的とする場合に、連結要素９１は案内溝９５に沿って上方へ移動し、足３３はレバー８６を枢軸回転させて縁バルジ８１を安定的に停止させかつ取付具８４の肩紐５２に沿ったそれ以上の上方移動を阻止する。
【００２２】
図７および８による共働面７１，８１を除き、連結された取付部５１，５４はＷＯ０３／００３８８０に記載の取付部品７０，８０の詳細に説明された設計であってよい。
【００２３】
スライドレール５０は、連続的アーチとしてプレートの二つの垂直側縁と水平上縁間に延在することにより、肩紐５２の一端５３は着用者の身体および問題の負荷の大きさにより調節され最適位置へ移動する。
【００２４】
ウエストベルト１は、当然ながら、ウエストベルト１の周囲の選択的調節を可能にしかつウエストベルトの開放を可能にする調節取付具を有する。
【００２５】
図３において、肩紐５２および安定紐６０は、明快のために省略されている。
【００２６】
二つの取付部５４は、共通高さレベル上で、に剛性シート２の側方に離隔した部分に固く連結されているが、取付部５４間の剛性側方カップリングにより懸垂することが実現可能であり、かつ代わりに、例えば、ＷＯ０３／００３８８０に開示された種類の赤ちゃん担体の胸紐部上に担持可能であり、その場合に、前片の上境界部の側端部は、上境界部の端部の側方移動可能曲折部の形成のために、取付部の中央から半径方向に離隔して折り畳んで形成されなければならない。
【符号の説明】
【００２７】
１    ウエストベルト
２    プレート
３    前片
５０    スライドレール
５２    肩紐
【図１】
2010505509.tif 000003
【図２】
2010505509.tif 000004
【図３】
2010505509.tif 000005
【図４】
2010505509.tif 000006
【図５】
2010505509.tif 000007
【図６】
2010505509.tif 000008
【図７】
2010505509.tif 000009
【図８】
2010505509.tif 000010
【図９】
2010505509.tif 000011
【図１０】
2010505509.tif 000012
【図１１】
2010505509.tif 000013
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
赤ちゃん担体（１，２，５２）および可撓性前片（３）を含み、可撓性前片が側方に離隔した上部で側方に離隔した取外し可能カップリング（３１）により前記赤ちゃん担体に連結され、前記前片（３）が付帯連結部材（４０）により前記赤ちゃん担体の隣接部に連結された下中央部を有し、それにより前記前片（３）が子供担持ポケットを形成し、前記前片（３）が上方で側方に離隔したカップリング部材のレベルの上方に延在する上境界部を有しかつ各側に側方突出端部を有し、各突出端部が端で第一カップリング取付具（５１）を担持し、第一カップリング取付具が他の付帯する第二カップリング取付具（５４）と取外し可能に共働し、第二カップリング取付具が側方離隔位置に前記赤ちゃん担体によって担持される子供運搬装置において、
第一および第二カップリング取付具は、第一および第二カップリング取付具の連結状態において、相互に対して共働し、かつ子供運搬装置の着用者の胸側または背側に対応する平面において第二カップリング取付具に対する複数の選択的相互回転位置の一つに第一カップリング取付具（５１）の回転可能に安全性を提供する成形部（８５，７２）を有することを特徴とする、子供運搬装置。
【請求項２】
前記前片（３）の上境界部の突出端部は、第一カップリング取付具に実質的固定的に連結される少なくとも長手部（３８）において可撓性でありかつ弾性であり、第二カップリング取付具（５４）を中心とする第一カップリング取付具（５１）の回転方向へ第一カップリング取付具（５１）によって運ばれ、かつ子供の顔のいずれかの側に対して支持を形成する曲折領域（３７）を形成するために曲折可能であることを特徴とする、請求項１の子供運搬装置。
【請求項３】
第二カップリング取付具（５４）は、第一カップリング取付具の係止ラグ（６１）のためのウエスト切欠き（５７）を有するポストの形態であり、第一カップリング取付具はリング形であり前記ポストに適合し、前記係止ラグ（６１）は移動位置に対してバネ荷重されて前記ウエスト切欠きと係合し、かつ操作により前記ウエスト切欠きとの係合から前記係止ラグを後退させる外押圧ボタンに連結されていることを特徴とする、請求項１または２の子供運搬装置。
【請求項４】
前記ポストが突出する足プレート上に第二カップリング取付具（５４）は、第二カップリング取付具（５４）と軸方向に係合する第一カップリング取付具（５１）上の複数の成形部（７１）の一つと係合する少なくとも一つの成形部（８５）を有することを特徴とする、請求項１から３のいずれか一の子供運搬装置。
【請求項５】
前記赤ちゃん担体は、第二カップリング取付具（５１）を取り付け剛性シート（２）を含むことを特徴とする、請求項１から４のいずれか一の子供運搬装置。
【請求項６】
前記剛性シートは前記赤ちゃん担体に含まれるウエストベルト（１）に担持され、かつ第二カップリング取付具（５４）は前記剛性シート（２）の上境界部の領域に担持されていることを特徴とする、請求項５の子供運搬装置。
【国際調査報告】
2010505509.tif 000014
2010505509.tif 000015
2010505509.tif 000016